(57)【要約】【課題】  運転者による視覚を伴わない操作と、その危険にも対応して、車両進行方向と車両横方向の両方へ適切に安全支援をする。【解決手段】  車両の操舵についての運転支援を行う第１支援ユニットである横方向制御装置５０、横方向警報装置６０と、車両の減速についての運転支援を行う第２支援ユニットである進行方向制御装置３０、進行方向警報装置４０と、第１支援ユニットおよび第２支援ユニットを制御する走行支援処理装置２０と、を備える。  走行支援処理装置２０は、運転者の脇見を検出し、運転者の運転以外の手操作である非運転手操作を検出し、脇見の検出結果と非運転手操作の検出結果とに基づいて、第２支援ユニットにおける脇見の検出に対する非運転手操作の検出の影響の度合いと比較して、第１支援ユニットにおける脇見の検出に対する非運転手操作の検出の影響の度合いを、大きく設定する。【選択図】図１
2014225099.tif 000002
【特許請求の範囲】
【請求項１】
車両の操舵についての運転支援を行う第１支援ユニットと、
前記車両の減速についての運転支援を行う第２支援ユニットと、
前記第１支援ユニットおよび前記第２支援ユニットを制御する走行支援処理装置と、を備え、
前記走行支援処理装置は、
運転者の脇見を検出し、
前記運転者の運転以外の手操作である非運転手操作を検出し、
前記脇見の検出結果と前記非運転手操作の検出結果とに基づいて、前記第２支援ユニットにおける前記脇見の検出に対する前記非運転手操作の検出の影響の度合いと比較して、前記第１支援ユニットにおける前記脇見の検出に対する前記非運転手操作の検出の影響の度合いを、大きく設定する、
運転支援装置。
【請求項２】
前記走行支援処理装置は、
前記第１支援ユニットおよび前記第２支援ユニットに対して、前記脇見の検出における前記第１支援ユニットおよび前記第２支援ユニットの影響の度合と比較して、前記非運転手操作の検出における影響の度合を、大きく設定する、
請求項１に記載の運転支援装置。
【請求項３】
前記第１支援ユニットは、前記車両の車線範囲内の走行維持および前記車両の車線逸脱の防止の、少なくともいずれか一方を制御する操舵制御ユニットであり、
前記第２支援ユニットは、前記車両の前方物体との衝突を回避するブレーキ制御ユニットであり、
前記走行支援処理装置は、前記脇見の検出結果と前記非運転手操作の検出結果とに基づいて、前記操舵制御ユニットによる操舵制御のタイミングと、前記ブレーキ制御ユニットによるブレーキ制御のタイミングとを、変化させる、
請求項１または２に記載の運転支援装置。
【請求項４】
前記第１支援ユニットは、前記車両の車線逸脱が予測される場合に、警報を出力する側方警報ユニットであり、
前記第２支援ユニットは、前記車両の前方物体との衝突が予測される場合に、警報を出力する前方警報ユニットであり、
前記走行支援処理装置は、前記脇見の検出結果と前記非運転手操作の検出結果とに基づいて、前記側方警報ユニットによる側方警報のタイミングと、前記前方警報ユニットによる前方警報のタイミングとを、変化させる
請求項１ないし３のいずれか一項に記載の運転支援装置。
【請求項５】
前記運転者を撮影するカメラをさらに備え、
前記走行支援処理装置は、前記カメラからの画像に基づいて、前記脇見および前記非運転手操作の少なくともいずれか一方を検出する、
請求項１ないし４のいずれか一項に記載の運転支援装置。
【請求項６】
車両の操舵についての運転支援を行う第１支援ユニットと、前記車両の減速についての運転支援を行う第２支援ユニットと、を制御する運転支援方法であって、
運転者の脇見を検出し、
前記運転者の運転以外の手操作である非運転手操作を検出し、
前記脇見の検出結果と前記非運転手操作の検出結果とに基づいて、前記第２支援ユニットにおける前記脇見の検出に対する前記非運転手操作の検出の影響の度合いと比較して、前記第１支援ユニットにおける前記脇見の検出に対する前記非運転手操作の検出の影響の度合いを、大きく設定する、
運転支援方法。
【発明の詳細な説明】
【技術分野】
【０００１】
本発明は、車両の運転を支援する運転支援装置および運転支援方法に関し、特に、運転者が脇見運転などをしている際における車両の安全性を支援する運転支援装置および運転支援方法に関する。
【背景技術】
【０００２】
車両の衝突事故の防止等を図るため、衝突の危険性が生じた場合に、その危険性を報知したり、危険回避のための走行制御をしたりする走行支援装置がある。
【０００３】
このような走行支援を行う装置として、車両の運転者の脇見を検知してかつ、それが手操作を伴ったと検知した場合に運転支援装置のゲインを強めたり、運転者に警報を与えるタイミングを変化させる装置が知られている（特許文献１参照）。
【先行技術文献】
【特許文献】
【０００４】
【特許文献１】特許第４９７２９１３号公報
【発明の概要】
【発明が解決しようとする課題】
【０００５】
しかし、視覚（脇見）以外の操作である、例えば物を見ずに探すといった、身体負荷（physical demand）によっても運転に悪影響を与える事が公知である。従来技術では視覚を伴わない操作と、その危険には対応できないという課題がある。
【課題を解決するための手段】
【０００６】
本発明の運転支援装置は、車両の操舵についての運転支援を行う第１支援ユニットと、車両の減速についての運転支援を行う第２支援ユニットと、第１支援ユニットおよび第２支援ユニットを制御する走行支援処理装置と、を備える。走行支援処理装置は、運転者の脇見を検出し、運転者の運転以外の手操作である非運転手操作を検出する。走行支援処理装置は、脇見の検出結果と非運転手操作の検出結果とに基づいて、第２支援ユニットにおける脇見の検出に対する非運転手操作の検出の影響の度合いと比較して、第１支援ユニットにおける脇見の検出に対する非運転手操作の検出の影響の度合いを、大きく設定する。
【０００７】
本発明の一の態様によると、走行支援処理装置は、第１支援ユニットおよび第２支援ユニットに対して、脇見の検出における第１支援ユニットおよび第２支援ユニットの影響の度合と比較して、非運転手操作の検出における影響の度合を、大きく設定する。
【０００８】
本発明の他の態様によると、第１支援ユニットは、車両の車線範囲内の走行維持および車両の車線逸脱の防止の、少なくともいずれか一方を制御する操舵制御ユニットであり、第２支援ユニットは、車両の前方物体との衝突を回避するブレーキ制御ユニットであり、走行支援処理装置は、脇見の検出結果と非運転手操作の検出結果とに基づいて、操舵制御ユニットによる操舵制御のタイミングと、ブレーキ制御ユニットによるブレーキ制御のタイミングとを、変化させる。
【０００９】
本発明の他の態様によると、第１支援ユニットは、車両の前記車線逸脱が予測される場合に、警報を出力する側方警報ユニットであり、第２支援ユニットは、車両の前方物体との衝突が予測される場合に、警報を出力する前方警報ユニットであり、走行支援処理装置は、脇見の検出結果と非運転手操作の検出結果とに基づいて、側方警報ユニットによる側方警報のタイミングと、前方警報ユニットによる前方警報のタイミングとを、変化させる。
【００１０】
本発明の他の態様によると、運転者を撮影するカメラをさらに備え、走行支援処理装置は、カメラからの画像に基づいて、脇見および非運転手操作の少なくともいずれか一方を検出する。
【００１１】
また、本発明は、車両の操舵についての運転支援を行う第１支援ユニットと、車両の減速についての運転支援を行う第２支援ユニットと、を制御する運転支援方法であって、運転者の脇見を検出し、運転者の運転以外の手操作である非運転手操作を検出し、脇見の検出結果と非運転手操作の検出結果とに基づいて、第２支援ユニットにおける脇見の検出に対する非運転手操作の検出の影響の度合いと比較して、第１支援ユニットにおける脇見の検出に対する非運転手操作の検出の影響の度合いを、大きく設定する。
【００１２】
本発明によれば、運転者による非運転手操作と脇見が、車両進行方向への影響と横方向への影響で異なるという知見に基づき、車両進行方向・車両横方向の各々に適切な支援制御を行える。
【図面の簡単な説明】
【００１３】
【図１】本発明の実施形態に係る運転支援装置の構成を示すブロック図である。
【図２】本発明の実施形態に係る走行支援処理装置の処理手順を示すシーケンス図である。
【図３】本発明の実施形態に係る脇見検出処理を説明するためのタイミングチャートである。
【発明を実施するための形態】
【００１４】
以下、図面を参照して、本発明の実施の形態を説明する。
【００１５】
図１は、本発明の実施形態に係る運転支援装置の構成を示すブロック図である。
【００１６】
運転支援装置１は、乗員撮影用カメラ１０と、走行支援処理装置２０と、進行方向制御装置３０と、進行方向警報装置４０と、横方向制御装置５０と、横方向警報装置６０と、を備える。
【００１７】
乗員撮影用カメラ１０は、車内に設置されたカメラである。乗員撮影用カメラ１０は、運転者の頭、顔、眼、手の動きなど運転者の動作、状況が把握できる範囲と細かさとで、運転者を撮影する。
【００１８】
進行方向制御装置３０または進行方向警報装置４０は、車両の減速についての運転支援を行う第２の支援ユニットである。
【００１９】
進行方向制御装置３０は、車両の進行方向、すなわち前後方向を制御する装置である。
【００２０】
本実施例では、車両の前方物体との衝突を回避するブレーキ制御ユニットである、ＣＭＢＳ（Collision Mitigation Brake System）を採用する。ＣＭＢＳは、レーダーを利用して先行車を監視し、追突の危険が生じた場合、運転者に対し警告音・シートベルト引きこみ・運転席に設けたパネル内表示等で知らせ、追突回避が不可能と判断した場合はブレーキ制御を行う。
【００２１】
進行方向警報装置４０は、車両の進行方向に関する警報を運転者に出力する装置である。
【００２２】
本実施例では、車両の前方物体との衝突が予測される場合に警報を出力する前方警報ユニットである、ＦＣＷ（Forward Collision Warning）を採用する。ＦＣＷは、車速がたとえば約１５ｋｍ／ｈ以上で走行中に、自車前方の車両に接近した場合、表示や音で運転者に注意を促す。
【００２３】
横方向制御装置５０または横方向警報装置６０は、車両の操舵についての運転支援を行う第１の支援ユニットである。
【００２４】
横方向制御装置５０は、車両の横方向、すなわち左右方向を制御する装置である。
【００２５】
本実施例では、車両の車線範囲内の走行維持または車両の車線逸脱の防止を制御する操舵制御ユニットである、ＬＫＡＳ（Lane Keep Assistant System）を採用する。ＬＫＡＳは、操舵制御によりドライバの車線内走行を支援する機能である。車線を認識し、電動パワーステアリング（ＥＰＳ；Electric Power Steering）に適切なトルクを発生させるなどの操舵制御を行い、車線維持をアシストする。これにより軽いステアリング操作で車線維持走行が可能となる。
【００２６】
横方向警報装置６０は、車両の横方向に関する警報を運転者に出力する装置である。
【００２７】
本実施例では、車両の前記車線逸脱が予測される場合に、警報を出力する側方警報ユニットである、ＬＤＷ（Lane Departure Warning）を採用する。ＬＤＷは、運転者が車線をうっかり逸脱してしまおうとするときに、音や振動などの触覚による信号を使用して運転者に警告をする。
【００２８】
走行支援処理装置２０は、ＣＰＵ（Central Processing Unit）等のプロセッサ、プログラムが書き込まれたＲＯＭ（Read Only Memory）、データの一時記憶のためのＲＡＭ（Random Access Memory）等のメモリを有するコンピュータである。
【００２９】
走行支援処理装置２０は、画像処理ユニット１１０と、脇見検出ユニット１２０と、非運転手操作検出ユニット１３０と、車両挙動予測ユニット１４０と、を備える。 車両挙動予測ユニット１４０は、進行方向予測ユニット１５０と横方向予測ユニット１６０を備える。走行支援処理装置２０が備える上記各ユニットは、コンピュータである走行支援処理装置２０がプログラムを実行することにより実現され、当該コンピュータ・プログラムは、コンピュータ読み取り可能な任意の記憶媒体に記憶させておくことができる。
【００３０】
なお、走行支援処理装置２０が備える上記各ユニットは、プログラムの実行により実現されるほか、それぞれ一つ以上の電気部品を含む専用のハードウェアとして構成することもできる。
【００３１】
走行支援処理装置２０が備える上記各ユニットが実行する処理について、図２を参照して説明する。図２は、本発明の実施形態に係る走行支援処理装置の処理手順を示すシーケンス図である。
【００３２】
まず画像処理ユニット１１０は、画像処理Ｓ１１０を実行する。画像処理ユニット１１０は、乗員撮影用カメラ１０からの画像を入力し、運転者の脇見を検出する脇見検出に有用な情報と、運転者の運転以外の手操作を検出する非運転手操作検出に有用な情報を生成する。
【００３３】
脇見検出ユニット１２０は、脇見検出処理Ｓ１２０を実行する。脇見検出ユニット１２０は、画像処理ユニット１１０からの脇見検出に有用な情報から運転者の脇見を検出する。
【００３４】
図３は、本発明の実施形態に係る脇見検出処理を説明するためのタイミングチャートである。脇見検出処理Ｓ１２０を、図３を参照して説明する。
【００３５】
脇見検出ユニット１２０は、脇見検出処理Ｓ１２０を２段階で行う。
【００３６】
第１段階の処理では、画像処理ユニット１１０から送られた情報から、運転者の視線に関して分析を行い、脇見をしているか否かを判断する。その手法は特開平６−２６２９５９号公報、特開２００２−８０２０号公報に記載の技術など、公知の種々の手法を採用できる。その結果、脇見をしていない、すなわち前方注視していると判断された場合を０、脇見をしていると判断された場合を１とする。
【００３７】
第１段階の処理結果、図３で矢印ｔが示す時間の経過に沿って、前方注視状態の０と脇見状態の１が連続的に判断される。
【００３８】
第２段階の処理では、第１段階で処理された結果から、脇見検出ユニット１２０は、
（１）単位時間あたりの総脇見時間を計算する。具体的には、図３で示す時間（Ｔａ＋Ｔｂ＋Ｔｃ）／Ｔｄで計算する。
（２）単一の脇見の時間を計測する。具体的には、図３で示す時間Ｔａ、Ｔｂ、Ｔｃである。
（３）脇見頻度（回／秒） を計算する。
【００３９】
その結果、脇見検出ユニット１２０は、単位時間あたりの総脇見時間、単一の脇見の時間、または脇見頻度がそれぞれ所定閾値を超えたら、脇見ありと判定する。
【００４０】
脇見検出ユニット１２０は、第２段階の処理結果である脇見ありか否かの判定結果と、単位時間あたりの総脇見時間と、単一の脇見の時間と、脇見頻度とを、車両挙動予測ユニット１４０へ出力する。
【００４１】
このように脇見検出ユニット１２０は、連続的な脇見判断を可能にする。
【００４２】
非運転手操作検出ユニット１３０は、非運転手操作検出処理Ｓ１３０を実行する。非運転手操作検出ユニット１３０は、画像処理ユニット１１０から運転者による運転以外の手操作の検出に有用な情報から、運転者による運転以外の手操作である非運転手操作を検出する。
【００４３】
非運転手操作検出ユニット１３０も、脇見検出ユニット１２０と同様に、非運転手操作検出処理Ｓ１３０を２段階で行う。
【００４４】
第１段階の処理では、画像処理ユニット１１０から送られた情報から、運転者の手操作に関して分析を行い、非運転手操作をしているか否かを判断する。その手法は公知の種々の手法を採用できる。その結果、非運転手操作をしていない、すなわち運転集中していると判断された場合を０、非運転手操作をしていると判断された場合を１とする。
【００４５】
第１段階の処理結果、時間の経過に沿って、運転集中状態の０と非運転手操作状態の１が連続的に判断される。
【００４６】
第２段階の処理では、第１段階で処理された結果から、非運転手操作検出ユニット１３０は、
（１）単位時間あたりの総非運転手操作時間を計算する。具体的には、脇見検出処理と同様である。
（２）単一の非運転手操作の時間を計測する。具体的には、脇見検出処理と同様である。
（３）非運転手操作頻度（回／秒） を計算する。
【００４７】
その結果、非運転手操作検出ユニット１３０は、単位時間あたりの総非運転手操作時間、単一の非運転手操作の時間、または非運転手操作頻度がそれぞれ所定閾値を超えたら、非運転手操作ありと判定する。
【００４８】
非運転手操作検出ユニット１３０は、第２段階の処理結果である非運転手操作ありか否かの判定結果と、単位時間あたりの総非運転手操作時間と、単一の非運転手操作の時間と、非運転手操作頻度とを、車両挙動予測ユニット１４０へ出力する。
【００４９】
このように非運転手操作検出ユニット１３０は、連続的な総非運転手操作判断を可能にする。
【００５０】
なお、脇見検出処理Ｓ１２０と非運転手操作検出処理Ｓ１３０とは、実行する順序を入れ替えてもよい。
【００５１】
車両挙動予測ユニット１４０は、車両挙動予測処理Ｓ１４０を実行する。車両挙動予測処理Ｓ１４０には進行方向予測処理Ｓ１５０と横方向予測処理Ｓ１６０とがある。進行方向予測ユニット１５０は進行方向予測処理Ｓ１５０を実行する。横方向予測ユニット１６０は横方向予測処理Ｓ１６０を実行する。 
本発明は、非運転手操作と脇見という２つの動作が、（Ａ）進行方向の変動と（Ｂ）車両横方向の変動の、それぞれに対し異なる影響を与えるという出願人らの研究に基づいている。
【００５２】
たとえば、車両進行方向へは非運転手操作がＮ１％寄与し、脇見がＮ２（Ｎ２＝１００−Ｎ１）％寄与する。一方、車両横方向に関しては非運転手操作がＮ３％寄与し、脇見がＮ４（Ｎ４＝１００−Ｎ３）％寄与する、といった予測モデルである。
【００５３】
ここで、Ｎ３＞Ｎ１であるという出願人の研究結果が得られた。すなわち、脇見検出に対する非運転手操作検出に関して、車両進行方向への影響より車両横方向の影響が大きいということである。
【００５４】
そのため、車両挙動予測ユニット１４０は、車両進行方向への制御を行う進行方向制御装置３０または進行方向警報装置４０における脇見検出に対する非運転手操作検出の影響の度合いと比較して、車両横方向への制御を行う横方向制御装置５０または横方向警報装置６０における脇見検出に対する非運転手操作検出の影響の度合いを大きく設定する。これにより、非運転動作が検出された場合、車両横方向へ、より安全となる制御をすることができる。
【００５５】
また、Ｎ１＞Ｎ２であり、Ｎ３＞Ｎ４であるという出願人の研究結果が得られた。すなわち、車両進行方向への影響も車両横方向の影響も、脇見検出より非運転手操作検出の影響が大きいということである。
【００５６】
そのため、車両挙動予測ユニット１４０は、脇見検出における各支援ユニットの影響の度合と比較して、非運転手操作検出における各支援ユニット、すなわち進行方向制御装置３０、進行方向警報装置４０、横方向制御装置５０、横方向警報装置６０、の影響の度合を大きく設定する。これにより、車両進行方向および車両横方向へ、より安全となる制御をすることができる。
【００５７】
車両挙動予測ユニット１４０は、より安全となる制御をするために、安全へのゲインという概念を導入し、ゲインを高めることによって、車両がより安全な走行となるように進行方向制御装置３０、進行方向警報装置４０、横方向制御装置５０、横方向警報装置６０を制御する。
【００５８】
本実施例でＣＭＢＳを採用する進行方向制御装置３０に対しては、進行方向予測ユニット１５０は、先行車に衝突するまでの時間（Time To collision:ＴＴＣ) を変える。すなわち進行方向予測ユニット１５０は、ゲインを大きくすることによって、衝突予測時間のしきい値を大きくし、自動ブレーキを早めに出すように制御信号を出力する。このように進行方向予測ユニット１５０は、ブレーキ制御ユニットによるブレーキ制御のタイミングが早くなるように変化させる。
【００５９】
本実施例でＦＣＷを採用する進行方向警報装置４０に対しては、進行方向予測ユニット１５０は、ＴＴＣを変える。すなわち進行方向予測ユニット１５０は、ゲインを大きくすることによって、衝突予測時間のしきい値を大きくし、警報を早だしするように制御信号を出力する。このように進行方向予測ユニット１５０は、前方警報のタイミングが早くなるように変化させる。
【００６０】
本実施例でＬＫＡＳを採用する横方向制御装置５０に対しては、横方向予測ユニット１６０は、レーンから逸脱するまでの時間を変える。すなわち横方向予測ユニット１６０は、ゲインを大きくすることによって、逸脱予測時間のしきい値を大きくし、ステアトルク反力を早だしするように制御信号を出力する。このように横方向予測ユニット１６０は、操舵制御のタイミングが早くなるように変化させる。
【００６１】
本実施例でＬＤＷを採用する横方向警報装置６０に対しては、横方向予測ユニット１６０は、レーンから逸脱するまでの予測時間を変える。すなわち横方向予測ユニット１６０は、ゲインを大きくすることによって、逸脱予測時間のしきい値を大きくし、警報を早だしするように制御信号を出力する。このように横方向予測ユニット１６０は、側方警報のタイミングが早くなるように変化させる。
【００６２】
また車両挙動予測ユニット１４０は、上記に加え、単位時間あたりの総脇見時間の長さ、単一の脇見の時間の長さ、脇見頻度の多さ、単位時間あたりの総非運転手操作時間の長さ、単一の非運転手操作の時間の長さ、非運転手操作頻度の多さにより、ゲインを変化させてもよい。
【００６３】
たとえば、車両挙動予測ユニット１４０は、単位時間あたりの総脇見時間が長くなるほどゲインを車両走行として安全側に変化させる。また車両挙動予測ユニット１４０は、単一の脇見の時間が長くなるほどゲインを車両走行として安全側に変化させる。また車両挙動予測ユニット１４０は、脇見頻度が多くなるほどゲインを車両走行として安全側に変化させる。
【００６４】
また車両挙動予測ユニット１４０は、単位時間あたりの総非運転手操作時間が長くなるほどゲインを車両走行として安全側に変化させる。また車両挙動予測ユニット１４０は、単一の非運転手操作の時間が長くなるほどゲインを車両走行として安全側に変化させる。また車両挙動予測ユニット１４０は、非運転手操作頻度が多くなるほどゲインを車両走行として安全側に変化させる。
【００６５】
なお、本実施形態では、進行方向制御装置３０としてＣＭＢＳを採用した例で説明したが、ＣＭＢＳに限らず他の進行方向を制御する装置であってもよい。進行方向予測ユニット１５０は、他の進行方向を制御する装置に対して、車両走行として安全側に変化させるように、制御介入の支援量など制御信号を出力する。
【００６６】
同様に、本実施形態では、進行方向警報装置４０としてＦＣＷを採用した例で説明したが、ＦＣＷに限らず他の進行方向の警報装置であってもよい。進行方向予測ユニット１５０は、他の進行方向の警報装置に対して、車両走行として安全側に変化させるように、警報のしきい値を変更するなど警報信号を出力する。
【００６７】
同様に、本実施形態では、横方向制御装置５０としてＬＫＡＳを採用した例で説明したが、ＬＫＡＳに限らず他の横方向を制御する装置であってもよい。横方向予測ユニット１６０は、他の横方向を制御する装置に対して、車両走行として安全側に変化させるように、制御介入の支援量など制御信号を出力する。
【００６８】
同様に、本実施形態では、横方向警報装置６０としてＬＤＷを採用した例で説明したが、ＬＤＷに限らず他の横方向の警報装置であってもよい。横方向予測ユニット１６０は、他の横方向の警報装置に対して、車両走行として安全側に変化させるように、警報のしきい値を変更するなど警報信号を出力する。
【００６９】
なお、本実施形態では、脇見検出処理Ｓ１２０と非運転手操作検出処理Ｓ１３０とで、乗員撮影用カメラ１０からの画像を用いたが、運転者の動作が検出できる他の情報を用いた手法であってもよい。ナビゲーション機器、オーディオ機器、エアコン機器などの機器操作の情報を用いた検出処理でもよいが、機器操作は運転者ではなく同乗者が操作することも考えられるので、同乗者が不在であるなど、運転者が機器操作をしている情報が必要である。本実施形態のように乗員撮影用カメラ１０で運転者の動作、状況が把握できる範囲と細かさとで運転者を撮影した画像を用いれば、脇見検出処理Ｓ１２０と非運転手操作検出処理Ｓ１３０の検出精度が上がるという効果がある。
【００７０】
また、乗員撮影用カメラ１０を２台以上用いてもよい。脇見検出処理Ｓ１２０と非運転手操作検出処理Ｓ１３０は、２台以上の乗員撮影用カメラ１０からの画像を用いて各検出をすることによって、より多彩な検出や検出精度を上げることができる。
【００７１】
以上説明したように、本実施形態に係る装置では、走行支援処理装置２０は、運転者の脇見を検出し（Ｓ１２０）、運転者の運転以外の手操作である非運転手操作を検出し（Ｓ１３０）、脇見の検出結果と非運転手操作の検出結果とに基づいて、第２支援ユニットである車両進行方向への進行方向制御装置３０または進行方向警報装置４０における、脇見の検出に対する非運転手操作の検出の影響の度合いと比較して、第１支援ユニットである車両横方向への横方向制御装置５０または横方向警報装置６０における、脇見の検出に対する非運転手操作の検出の影響の度合いを、大きく設定する（Ｓ１４０）。
【００７２】
すなわち、本実施形態に係る装置では、運転者の非運転手操作と脇見を検出し、検出結果に応じて車両の操舵と減速についての運転支援を行う。減速支援における脇見検出に対する非運転手操作検出の影響の度合いと比較して、操舵支援における脇見検出に対する非運転手操作検出の影響の度合いを大きく設定する。
【００７３】
本実施形態によれば、運転者による非運転手操作と脇見が、車両進行方向への影響と横方向への影響で異なるという知見に基づき、車両進行方向・車両横方向の各々に適切な支援制御を行える。
【００７４】
また本実施形態によれば、運転中に携帯電話やカーナビを使用すると運転に必要な注意力が分散してしまい、安全性が低下するというディストラクション（distraction）の危険については、（１）車両進行方向に対し運転者の対応ができなくなる（前突）危険、（２）車両横方向に対する同じ危険（路外逸脱）の、大きく２つに分けられるが、これらに対してディストラクションの種類（視覚、非運転手操作）によって（１）、（２）に対し異なる影響を与えて、車両をより安全側へ制御することができる。
【００７５】
また本実施形態によれば、車載機器以外、例えばスマートホンの操作、助手席の物をとるといったものが入ってきた場合にも、車両進行方向と車両横方向それぞれへの適切な指示が可能になる
また本実施形態によれば、非運転手操作（身体負荷）のみの車両挙動への影響も予測可能である。
【００７６】
また本実施形態によれば、従来技術であった「ナビ操作をしている」等の離散的な判断ではなく、連続的な判断を可能にする危険予測アルゴリズムを備える。これによって、単純な「ナビを操作しているから危ない」「ラジオを操作しているから大丈夫」といった信頼性の低いものから、より高度に車両の挙動を予測した結果、それに対応できる進行方向制御装置３０や横方向制御装置５０などの運転補助装置、進行方向警報装置４０や横方向警報装置６０などの危険警報装置を実現可能にする。
【００７７】
また本実施形態によれば、進行方向の車両の挙動予測と横方向の挙動予測のそれぞれを可能にするため、それらに対応する進行方向の補助をする進行方向制御装置３０、横方向の補助をする横方向制御装置５０それぞれに対し異なるゲインの司令を出力することを可能にする。また、進行方向警報装置４０、横方向警報装置６０に対しても異なったゲインで警報を可能にする。
【００７８】
これらによって、車両進行方向と車両横方向それぞれに対して、きめ細かい指示が可能になる。
【００７９】
なお本発明の実施の形態は、上述した実施の形態に限定されるものではなく、本技術の要旨を逸脱しない範囲において種々の変更が可能である。
【符号の説明】
【００８０】
１・・・運転支援装置、１０・・・乗員撮影用カメラ、２０・・・走行支援処理装置、３０・・・進行方向制御装置、４０・・・進行方向警報装置、５０・・・横方向制御装置、６０・・・横方向警報装置、１１０・・・画像処理ユニット、１２０・・・脇見検出ユニット、１３０・・・非運転手操作検出ユニット、１４０・・・車両挙動予測ユニット、１５０・・・進行方向予測ユニット、１６０・・・横方向予測ユニット。
【図１】
2014225099.tif 000003
【図２】
2014225099.tif 000004
【図３】
2014225099.tif 000005